(57)【要約】【課題】  冷凍機が出力しうる冷凍能力を最大限利用して適切な運転台数で運転を行う冷凍システムを提供する。【解決手段】  定格冷却水入口温度Ｔｉｎ＊での冷凍機の定格負荷に対する冷水流量Ｇを定格冷水流量として記憶するとともに、定格冷却水入口温度Ｔｉｎ＊と運転時における冷却水入口温度Ｔｉｎとの相違に基づいて、定格冷水流量と異なる流量に冷水流量を制御する。【選択図】      図６
2005233557.tif 000002
【特許請求の範囲】
【請求項１】
冷媒を圧縮する圧縮機、圧縮された冷媒を凝縮させる凝縮器、凝縮された冷媒を膨張させる膨張器、および膨張された冷媒を蒸発させて冷熱を得る蒸発器、を備えた冷凍機と、
前記凝縮器に冷却水を供給し、前記凝縮器における排熱を除去する冷却手段と、
前記冷凍機によって得られた前記冷熱により冷水を得て、該冷水を外部負荷に供給する冷水供給手段と、を備えた冷凍システムにおいて、
定格排熱温度での前記冷凍機の定格負荷に対する前記冷水供給手段の冷水流量を定格冷水流量として記憶するとともに、
前記定格排熱温度と運転時における運転時排熱温度との相違に基づいて、前記定格冷水流量と異なる流量に冷水流量を制御する制御手段を備えていることを特徴とする冷凍システム。
【請求項２】
前記冷凍機は、冷媒を圧縮する遠心式圧縮機を備えていることを特徴とする請求項１記載の冷凍システム。
【請求項３】
前記冷凍機は、冷媒を圧縮する容積式圧縮機を備え、
前記制御手段は、前記運転時排熱温度が定格排熱温度よりも低い場合、前記容積式圧縮機を駆動する駆動機の出力を増大させるとともに、
増大した前記駆動機の出力に応じて、前記冷水流量を増大させることを特徴とする請求項１記載の冷凍システム。
【請求項４】
前記冷凍機は、吸収冷凍機とされていることを特徴とする請求項１記載の冷凍システム。
【請求項５】
熱源によって加熱して溶液濃度が高い濃溶液を生成する高圧再生器と、該高圧再生器から供給された濃溶液の溶液濃度をさらに高める低圧再生器と、前記低圧再生器から供給された濃溶液に対して前記蒸発器で蒸発した冷媒を吸収させて溶液濃度が低い希溶液を生成する吸収器と、を備え、
前記高圧再生器および前記低圧再生器と前記吸収器との間には、前記濃溶液と前記希溶液とを熱交換させる熱交換器が設けられ、
前記低圧再生器をバイパスして、前記高圧再生器から前記熱交換器へと前記濃溶液を流す濃溶液バイバス経路に、前記濃溶液の流量を調整する濃溶液バイパス流量調整弁が設けられていることを特徴とする請求項４記載の冷凍システム。
【請求項６】
溶液濃度が低い希溶液を高圧再生器と低圧再生器のそれぞれに流入させ濃溶液を生成する吸収冷凍機、および／または、低圧再生器で濃溶液を生成しさらに高圧再生器で溶液濃度を高める吸収冷凍機を備え、
前記高圧再生器出口の濃溶液系統の熱交換器、立上り配管等の抵抗部をバイパスする経路に、前記濃溶液の流量を調整する濃溶液バイパス流量調整弁が設けられていることを特徴とする請求項４記載の冷凍システム。
【請求項７】
前記制御手段は、前記冷凍機から出力される運転状態データに基づいて、前記冷水流量を増大することを特徴とする請求項１から６のいずれかに記載の冷凍システム。
【請求項８】
前記冷凍機は、前記外部負荷に対して複数並列に設置され、
これら冷凍機は、請求項２から６のいずれかに記載された冷凍機、または請求項２から６のいずれかに記載された冷凍機の組み合わせとされていることを特徴とする請求項１から７のいずれかに記載の冷凍システム。
【請求項９】
冷媒を凝縮させる凝縮器冷媒を蒸発させて冷熱を得る蒸発器を備えた冷凍機と、
前記凝縮器に冷却水を供給し、前記凝縮器における排熱を除去する冷却手段と、
前記冷凍機によって得られた前記冷熱により冷水を得て、該冷水を外部負荷に供給する冷水供給手段と、を備えた冷凍システムの運転方法において、
定格排熱温度での前記冷凍機の定格負荷に対する前記冷水供給手段の冷水流量を定格冷水流量として記憶するとともに、
前記定格排熱温度と運転時における運転時排熱温度との相違に基づいて、前記定格冷水流量と異なる流量に冷水流量を制御することを特徴とする冷凍システムの運転方法。
【発明の詳細な説明】
【技術分野】
【０００１】
本発明は、ビルや工場設備に用いられて好適な冷凍システムに関するものである。
【背景技術】
【０００２】
従来より、複数の冷凍機を並列に有し、これら冷凍機から冷熱を得て冷水を製造する冷凍システムがある。冷凍システムによって得られた冷水は、ビルや工場設備に設置された空調機やファンコイル等の外部負荷に供給される。
このような冷凍システムの高効率化を図るものとして、下記特許文献１に示すように、冷凍機の凝縮器を冷却する冷却水の温度差を一定に保つように制御するものがある。
また、下記特許文献２に示すように、空調制御を速やかに安定させるために、各冷凍機の増減段のタイミングを制御するものがある。
【０００３】
【特許文献１】特開２００２−３１３７６号公報（段落［００７０］〜［００７８］，及び図６〜図７）
【特許文献２】特開２０００−１８６８３号公報（段落［００１７］，図４）
【発明の開示】
【発明が解決しようとする課題】
【０００４】
ところが、外気温の変動によって、冷却水の凝縮器入口温度が変動した場合、冷凍機が出力しうる冷凍能力が十分に利用されていない。例えば、外気温の低下により冷却水の凝縮器入口温度が設計仕様温度よりも低くなり、冷凍機としては定格負荷よりも冷凍能力を出力できる場合がある。しかし、通常では、冷凍機は定格冷凍能力を超えないように運転されているため、冷凍機の増段のタイミングは定格負荷を超えたことを条件として行われていた。これでは、冷凍機の増段のタイミングが早くなり、増段に伴う冷水ポンプ、冷却水ポンプ、冷却塔などの補機の動力の増大や、１台あたりの冷凍機の冷凍能力低下に伴う冷凍機の総消費エネルギーの増大を招いていた。
【０００５】
本発明は、このような事情に鑑みてなされたものであって、冷凍機が出力しうる冷凍能力を最大限利用して適切な運転台数で運転を行う冷凍システムおよびその運転方法を提供することを目的とする。
【課題を解決するための手段】
【０００６】
上記課題を解決するために、本発明の冷凍システムは、以下の手段を採用する。
すなわち、本発明にかかる冷凍システムは、冷媒を圧縮する圧縮機、圧縮された冷媒を凝縮させる凝縮器、凝縮された冷媒を膨張させる膨張器、および膨張された冷媒を蒸発させて冷熱を得る蒸発器、を備えた冷凍機と、前記凝縮器に冷却水を供給し、前記凝縮器における排熱を除去する冷却手段と、前記冷凍機によって得られた前記冷熱により冷水を得て、該冷水を外部負荷に供給する冷水供給手段と、を備えた冷凍システムにおいて、定格排熱温度での前記冷凍機の定格負荷に対する前記冷水供給手段の冷水流量を定格冷水流量として記憶するとともに、前記定格排熱温度と運転時における運転時排熱温度との相違に基づいて、前記定格冷水流量と異なる流量に冷水流量を制御する制御手段を備えていることを特徴とする。
【０００７】
運転時排熱温度が定格排熱温度と異なる場合、冷凍機が出力しうる冷凍能力が変動する。たとえば、運転時排熱温度が定格排熱温度よりも低い場合、冷凍機は定格負荷よりも多くの冷凍能力を出力しうる。一方、運転時排熱温度が定格排熱温度よりも高い場合、冷凍機は定格負荷を下回る冷凍能力しか出力しない。
このような冷凍能力の変動に応じて冷水流量を変化させることにより、必要十分な冷熱を取り出すことができる。
「排熱温度」としては、外気温度、冷却手段によって供給される冷却水の凝縮器入口温度または凝縮器出口温度、凝縮器における凝縮冷媒温度、凝縮温度を代表する凝縮冷媒圧力等が用いられる。吸収冷凍機では前記排熱温度に加え、冷却水の吸収器入口温度または吸収器出口温度、吸収器圧力等が用いられる。
「定格排熱温度」は、冷凍システムの設計仕様となる温度を意味し、例えば、冷却水の凝縮器入口温度として３２℃が設定される。
【０００８】
また、本発明による冷凍システムによれば、  前記冷凍機は、冷媒を圧縮する遠心式圧縮機を備えていることを特徴とする。
【０００９】
遠心式圧縮機を備えた冷凍機は、運転時排熱温度が定格排熱温度よりも低い場合（低ヘッドの場合）、遠心圧縮機の特性上、冷凍機の定格負荷を超えた冷凍能力で運転することが可能である。したがって、この定格負荷を超えた冷凍能力に応じた熱量分だけ冷水流量を増大させて、より多くの外部負荷の要求熱量に対応することができる。
一方、遠心式圧縮機を備えた冷凍機は、運転時排熱温度が定格排熱温度よりも高い場合（高ヘッドの場合）、遠心圧縮機の特性上、冷凍機の定格負荷を下回る冷凍能力しか出力することができない。したがって、この定格負荷を下回る熱量分だけ冷水流量を減少させて、冷水ポンプ等の補機動力の低減と、冷水出口温度制御の安定性の確保が可能となる。
「遠心式圧縮機」としては、ターボ圧縮機が好適である。
【００１０】
また、本発明による冷凍システムによれば、  前記冷凍機は、冷媒を圧縮する容積式圧縮機を備え、前記制御手段は、前記運転時排熱温度が定格排熱温度よりも低い場合、前記容積式圧縮機を駆動する駆動機の出力を増大させるとともに、増大した前記駆動機の出力に応じて、前記冷水流量を増大させることを特徴とする。
【００１１】
運転時排熱温度が定格排熱温度よりも低い場合、低ヘッドとなるので、駆動機の負荷が低下して駆動機に余力が生じる。この余力分を補うように駆動機の出力を増大させて、この増大出力に応じた冷凍能力に相当する冷水流量を増大させることにより、より多くの外部負荷の要求熱量に対応することができる。
駆動機の動力は、ヘッドと冷媒循環流量との積で決まる。本発明では、ヘッドが減少した分だけ出力を増大させて冷媒循環流量を増大させるだけなので、結果として冷凍システム全体の能力は増大するが駆動機の消費動力が増大することはない。
「容積式圧縮機」としては、レシプロ、スクリュー、スクロール、ロータリー等の圧縮機が挙げられる。
【００１２】
また、冷凍機として、吸収冷凍機を用いても良い。
【００１３】
また、本発明による冷凍システムによれば、吸収冷凍機を用いた場合、熱源によって加熱して溶液濃度が高い濃溶液を生成する高圧再生器と、該高圧再生器から供給された濃溶液の溶液濃度をさらに高める低圧再生器と、前記低圧再生器から供給された濃溶液に対して前記蒸発器で蒸発した冷媒を吸収させて溶液濃度が低い希溶液を生成する吸収器と、を備え、前記高圧再生器および前記低圧再生器と前記吸収器との間には、前記濃溶液と前記希溶液とを熱交換させる熱交換器が設けられ、前記低圧再生器をバイパスして、前記高圧再生器から前記熱交換器へと前記濃溶液を流す濃溶液バイバス経路に、前記濃溶液の流量を調整する濃溶液バイパス流量調整弁が設けられていることを特徴とする。
【００１４】
高圧再生器および低圧再生器との間に設けられた熱交換器では、濃溶液の濃度が高くかつ温度が低い状態となっている。したがって、この位置では、濃溶液が結晶してしまう溶液結晶が発生するおそれが高い。特に、冷却水の温度が低下した場合には、凝縮器圧力が低下することによって高圧再生器の圧力が低下し、高圧再生器と低圧再生器との圧力差が小さくなってしまう。高圧再生器と低圧再生器との圧力差が小さくなってしまうと、溶液循環量が低下するので、さらに溶液結晶が生じやすい状態となる。
そこで、本発明は、低圧再生器をバイパスして熱交換器へと高圧再生器からの濃溶液を流す濃溶液バイパス経路に、濃溶液の流量を調整する濃溶液バイパス流量調整弁を採用して、溶液結晶が生じるおそれのある状況では、濃溶液バイパス流量調整弁の開度を上げて高圧再生器からの濃溶液を多くパイパスさせることとする。これにより、熱交換器に流れる濃溶液の流量が増大し、しかも、低圧再生器からの濃溶液に比べて溶液濃度が低い高圧再生器からの濃溶液を熱交換器に多く流すことで溶液結晶を防ぐ。さらに、濃溶液バイパス流量調整弁を開くことで吸収冷凍機全体の溶液流量が増加するため濃溶液濃度が低下し溶液結晶を防止する。
【００１５】
また、本発明による冷凍システムによれば、溶液濃度が低い希溶液を高圧再生器と低圧再生器のそれぞれに流入させ濃溶液を生成する吸収冷凍機、および／または、低圧再生器で濃溶液を生成しさらに高圧再生器で溶液濃度を高める吸収冷凍機を備え、前記高圧再生器出口の濃溶液系統の熱交換器、立上り配管等の抵抗部をバイパスする経路に、前記濃溶液の流量を調整する濃溶液バイパス流量調整弁が設けられていることを特徴とする。
【００１６】
また、本発明による冷凍システムによれば、前記制御手段は、前記冷凍機から出力される運転状態データに基づいて、前記冷水流量を増大することを特徴とする。
【００１７】
「運転状態データ」としては、遠心圧縮機の冷媒吸入口に設けられたインレットガイドベーン（ＩＧＶ）、冷凍機の圧縮機を駆動する駆動機の出力や入力（ｋＷ、Ａ）等が挙げられる。
「運転状態データ」は、例えば、冷凍機の制御盤に記憶されている。
制御手段は、このような運転状態データを得て、さらに冷凍能力を増大させることができるかを判断する。冷凍能力を増大させることが可能と判断した場合には、増大させうる冷凍能力に対応した熱量分だけ冷水流量を増大させる。
【００１８】
また、本発明による冷凍システムによれば、前記冷凍機は、外部負荷に対して複数並列に設置され、これら冷凍機前記圧縮機は、遠心式圧縮機を備えた冷凍機、および／または容積式圧縮機を備えた冷凍機、吸収冷凍機のいずれか、またはこれらの組み合わせとされていることを特徴とする。
【００１９】
冷凍機が外部負荷に対して複数並列に設けられた冷凍システムでは、外部負荷の要求熱量に対して各冷凍機を個別に運転・停止することになる。本発明の冷凍システムによれば、排熱温度によっては冷水流量を増大させて定格負荷を超えたところで冷凍機を運転させることが可能となるので、外部負荷の要求熱量が増大しても冷凍機の増段のタイミングを遅らせることができる。
冷凍機圧縮機としては、すべて遠心式圧縮機を備えた冷凍機としてもよいし、すべて容積式圧縮機を備えた冷凍機としてもよいし、すべて吸収冷凍機としてもよい。また、これら冷凍機遠心圧縮機と容積式圧縮機との組合せとしても良い。
【００２０】
また、本発明による冷凍システムの運転方法によれば、冷媒を圧縮する圧縮機、圧縮された冷媒を凝縮させる凝縮器、凝縮された冷媒を膨張させる膨張器、および膨張された冷媒を蒸発させて冷熱を得る蒸発器、を備えた冷凍機と、前記凝縮器に冷却水を供給し、前記凝縮器における排熱を除去する冷却手段と、前記冷凍機によって得られた前記冷熱により冷水を得て、該冷水を外部負荷に供給する冷水供給手段と、を備えた冷凍システムの運転方法において、定格排熱温度での前記冷凍機の定格負荷に対する前記冷水供給手段の冷水流量を定格冷水流量として記憶するとともに、前記定格排熱温度と運転時における運転時排熱温度との相違に基づいて、前記定格冷水流量と異なる流量に冷水流量を制御することを特徴とする。
【発明の効果】
【００２１】
本発明によれば、凝縮器の排熱温度を基準として冷水流量を制御することとしたので、冷凍機が出力しうる最大限の冷凍能力を利用することができる。
したがって、冷凍機を複数設置した場合、外部負荷の要求熱量が増大しても、冷凍機の増段のタイミングを遅らせることができ、最適な運転台数での運転が可能となる。これにより、冷凍システム運用時の省エネルギー化が実現される。
【発明を実施するための最良の形態】
【００２２】
以下に、本発明にかかる冷凍システムの実施形態について、図面を参照して説明する。
［第一実施形態］
図１には、第一実施形態にかかる冷凍システムの全体構成が示されている。
冷凍システム１は、ビルや工場設備に設置される。この冷凍システム１は、空調機やファンコイル等の外部負荷３に供給する冷水に対して冷熱を与える第１乃至第３のターボ冷凍機１１，１２，１３を３台備えている。
【００２３】
冷水流れからみた各ターボ冷凍機１１，１２，１３の下流側には、それぞれ、冷水を圧送する第１乃至第３の冷水ポンプ（冷水供給手段）２１，２２，２３が設置されている。これら冷水ポンプ２１，２２，２３によって、各ターボ冷凍機１１，１２，１３において冷やされた冷水は、サプライヘッダ３１に送られる。
【００２４】
各冷水ポンプ２１，２２，２３は、第１乃至第３の冷水ポンプ用インバータモータ２１ａ，２２ａ，２３ａによって駆動されるようになっており、これにより、回転数を可変とすることで可変流量制御される。
また、各冷水ポンプ２１，２２，２３は、各インバータモータ２１ａ，２２ａ，２３ａによって、過流量での運転が可能となっている。
ここで、「過流量」とは、次のような意味である。冷凍システム１は、外部負荷３の規模に応じて設計時に最大負荷が決定される。この最大負荷のときに各冷水ポンプ２１，２２，２３が負担する冷水流量を定格冷水流量とする。この定格冷水流量を超える流量を過流量という。
【００２５】
サプライヘッダ３１には、各ターボ冷凍機１１，１２，１３において得られた冷水が集められるようになっている。
サプライヘッダ３１に集められた冷水は、外部負荷３に供給される。
外部負荷３にて空調等に供されて昇温した冷水は、リターンヘッダ３２に送られる。冷水は、リターンヘッダ３２において分岐され、各ターボ冷凍機１１，１２，１３に送られる。
【００２６】
第１乃至第３ターボ冷凍機１１，１２，１３は、外部負荷３に対して並列に設置されている。
各ターボ冷凍機１１，１２，１３には、それぞれ、第１乃至第３の冷却塔（冷却手段）１４，１５，１６が設けられている。この冷却塔１４，１５，１６によって、冷凍機の凝縮器から排出される排熱が除去される。各冷却塔１４，１５，１６を流れる冷却水は、第１乃至第３の冷却水ポンプ１７，１８，１９によって圧送される。各冷却水ポンプ１７，１８，１９は、第１乃至第３の冷却水ポンプ用インバータモータ１７ａ，１８ａ，１９ａによって駆動される。これにより、回転数を可変とすることにより、各冷却水ポンプ１７，１８，１９の吐出流量を可変に制御できるようになっている。
【００２７】
サプライヘッダ３１とリターンヘッダ３２との間には、バイパス回路３３が設けられている。このバイパス回路３３には、開閉バルブ３４が設けられている。この開閉バルブ３４を調整することにより、サプライヘッダ３１からリターンヘッダ３２へと流れる冷水流量を調整して、サプライヘッダ３１から外部負荷３へ流れる冷水の供給圧力を調整するようになっている。
【００２８】
サプライヘッダ３１と外部負荷３とを接続する冷水配管には、冷水流量を検知するための冷水流量センサ４６が設けられている。冷水流量センサ４６の出力は、制御部（制御手段）４７へ送られる。
なお、冷水流量センサ４６の設置位置は、外部負荷３を流れる冷水流量を検出できる位置であればよく、例えばリターンヘッダ３２側に設ける構成としても良い。
【００２９】
外部負荷３とリターンヘッダ３２とを接続する冷水配管には、冷水温度を検知するための流入冷水温度センサ４２が設けられている。流入冷水温度センサ４２の出力は、制御部４７へ送られる。
この流入冷水温度センサ４２によって、運転時における、外部負荷３からターボ冷凍機１１，１２，１３側に流入する冷水の還温度が得られる。
リターンヘッダ３２と各ターボ冷凍機１１，１２，１３とを接続する冷水配管には、それぞれ、冷水温度を検知するための第１乃至第３の流入冷水温度センサ４３，４４，４５が設けられている。各流入冷水温度センサ４３，４４，４５の出力は、制御部４７へ送られる。
【００３０】
制御部（制御手段）４７は、冷水流量センサ４６、流入冷水温度センサ４２、および第１乃至第３の冷水温度センサ４３，４４，４５の出力を得て、所定の演算結果に基づいて、各ターボ冷凍機１１，１２，１３、冷却水ポンプ用インバータモータ１７ａ，１８ａ，１９ａ、冷水ポンプ用インバータモータ２１ａ，２２ａ，２３ａ、開閉バルブ３４等を制御する。
【００３１】
制御部４７では、流入冷水温度センサ４２から得られる運転時還温度Ｔｉと、サプライヘッダ３１から外部負荷３へ流出する冷水の往温度Ｔｏとから、往還温度差（Ｔｉ−Ｔｏ）が演算されるようになっている。この往還温度差（Ｔｉ−Ｔｏ）と冷水流量センサ４６によって得られる運転時冷水流量Ｇ（ｍ３／ｓ）とに基づいて、外部負荷３の要求冷凍能力Ｑｒｅｑが演算される。
具体的には、次式に基づいて算出される。
Ｑｒｅｑ＝（Ｔｉ−Ｔｏ）×Ｇ×γ×λ    ・・・・・（１）
ここで、γは、往温度Ｔｏと還温度Ｔｉとの平均温度における冷水の比重、λは、往温度Ｔｏと還温度Ｔｉとの平均温度における冷水の比熱を意味する。
なお、本実施形態においては、定格温度（例えば７℃）で冷水が供給されるようにターボ冷凍機１１，１２，１３が制御されているので、制御部４７はこの定格温度を往温度Ｔｏとして記憶している。ただし、往温度Ｔｏを検出するように、サプライヘッダ３１に温度センサを設ける構成としても良い。
【００３２】
図２には、ターボ冷凍機１１，１２，１３と、冷却塔１４，１５，１６の詳細が示されている。同図では、理解の容易のため、３台並列に設けられたターボ冷凍機と冷却塔のうちの一つの第１ターボ冷凍機１１及び第１冷却塔１４のみが示されている。
ターボ冷凍機１１は、冷媒を圧縮するターボ圧縮機６０と、ターボ圧縮機６０によって圧縮された高温高圧のガス冷媒を凝縮する凝縮器６２と、凝縮器６２によって凝縮された高温高圧の液冷媒を膨張させる膨張弁（膨張器）６４と、膨張弁６４によって膨張させられた液冷媒を蒸発させる蒸発器６６と、を備えている。
【００３３】
ターボ圧縮機６０は、遠心式の圧縮機であり、インバータ駆動モータ６８によって回転数制御の下で駆動されている。ターボ圧縮機６０の冷媒吸入口には、吸入冷媒流量を制御するインレットガイドベーン（以下「ＩＧＶ」という。）６０ａが設けられている。
【００３４】
凝縮器６２には、凝縮冷媒圧力を計測するための凝縮冷媒圧力センサ８０と、凝縮冷媒温度を計測するための凝縮冷媒温度センサ８２とが設けられている。なお、凝縮冷媒温度は、凝縮冷媒圧力から飽和温度として制御部４７にて演算から求めた値としてもよい。
これらセンサ８０，８２の出力は、制御部４７（図１参照）に送信される。
【００３５】
蒸発器６６において吸熱されることによって定格温度（例えば７℃）の冷水が得られる。すなわち、蒸発器６６内に挿通された冷水配管７０内を流れる冷水は、冷媒に熱が奪われることにより、冷やされる。この冷水流量は、上述の第１冷水ポンプ２１（図１参照）によって制御される。
【００３６】
冷却塔１４によって、凝縮器６２において冷媒が凝縮する際に放出する排熱が除去される。
冷却塔１４は、凝縮器６２に接続された冷却水配管７２を備えている。この冷却水配管７２を介して、冷却塔１４と凝縮器６２との間を冷却水が循環する。循環する冷却水は、凝縮器６２において冷媒から凝縮熱(排熱）を吸熱し、冷却塔１４において放熱する。冷却塔１４における放熱は、外気との熱交換によって行われる。
冷凍システムは、定格の冷却水入口温度Ｔｉｎ＊に基づいて設計されている。本実施形態では、定格冷却水入口温度（定格排熱温度）Ｔｉｎ＊は、３２℃とされている。この定格冷却水入口温度Ｔｉｎ＊は、制御部４７のメモリに格納されている。
運転時における冷却水入口温度Ｔｉｎは、冷却水配管７２の凝縮器６２入口近傍に設けた冷却水入口温度センサ７４によって検知される。冷却水入口温度センサ７４（図１参照）の出力は、上述の制御部４７へと送信される。
運転時における冷却水出口温度Ｔｏｕｔは、冷却水配管７２の凝縮器６２入口近傍に設けた冷却水出口温度センサ７６によって検知される。冷却水出口温度センサ７６の出力は、制御部４７（図１参照）へと送信される。
冷却水流量は、冷却水配管７２に設置された第１冷却水ポンプ１７及び第１冷却水ポンプ用インバータモータ１７ａによって制御される。
【００３７】
制御部４７では、冷却水入口温度Ｔｉｎを得て、以下に示すような制御が行われる。
つまり、制御部４７は、冷却水入口温度Ｔｉｎと、メモリに格納されている定格冷却水入口温度Ｔｉｎ＊とを比較して、ターボ冷凍機がさらに出力可能な増大冷凍能力Ｑ（Ｔｉｎ）を演算する。そして、この増大冷凍能力Ｑ（Ｔｉｎ）に対応する冷水の過流量を演算し、これを冷水流量の上限値に再設定する。
このような制御を行いうる理由は次の通りである。
遠心式の空力機械であるターボ圧縮機を備えたターボ冷凍機は、図３に示すような特性を有している。
図において、横軸は冷凍能力、縦軸は冷却水温度である。
縦軸の冷却水温度は、ヘッドを意味し、高温ほど高ヘッドとなる。
曲線Ｌ１はターボ圧縮機の同一回転数における特性曲線を示し、曲線Ｌ２は圧縮機の安定限界を示す旋回失速線を示す。
ターボ冷凍機は、設計仕様の定格冷却水温度（３２℃）において定格冷凍能力（定格負荷）の１００％を出力するように設計されている。
ところが、冷却水温度が定格よりも低い場合（低ヘッドの場合；例えば２４℃の場合）には、ターボ冷凍機としては定格冷凍能力を超えた冷凍能力（例えば１１５％）を出力することができる。
このように、ターボ冷凍機の特性上、定格冷凍能力を超えた領域で運転できるので、この特性を有効に利用する制御を行い得るようになっている。
【００３８】
一方、冷却水温度が定格よりも高い場合（高ヘッドの場合；例えば３４℃の場合）には、ターボ冷凍機としては定格冷凍能力を下回る冷凍能力（例えば８０％）しか出力することができない。
このような場合、制御部４７は、定格冷凍能力を下回る冷凍能力に応じた冷水流量を指示する。
【００３９】
本実施形態では、上記のような定格冷凍能力を超えた運転を可能としているので、ターボ圧縮機のインバータ駆動モータ６８、冷却塔１４、冷却水ポンプ１７等についても、定格冷凍能力を超えた領域まで対応できるような仕様の機器が選定されている。
例えば、図４に示すように、設計点に応じたインバータ駆動モータを選定した場合、設計点を超えた領域で、駆動機の出力が冷凍機の空力的な最大能力に追いつかないことになる。そこで、定格冷凍能力を超えた領域で運転できる出力を有するインバータおよびインバータ駆動モータを選定する。
【００４０】
次に、上記構成の冷凍システム１の運転方法について図５を参照して説明する。
深夜、早朝、休日など、外部負荷３において冷熱の取出しが行われないスタート時（Ｓ１）では、第１乃至第３ターボ冷凍機１１，１２，１３はすべて停止している。
そして、外部負荷３において冷熱の取出しが行われる（外部負荷３が起動する）時刻の直前に、ターボ冷凍機１１，１２，１３を起動して、外部負荷３の要求熱量に対応するように準備する。
具体的には、制御部４７は、図示しないスケジュールタイマ（外部負荷３の起動時刻にあわせてオン（ＯＮ）となるようにセットされている）からの出力を受けて（Ｓ２）、第１ターボ冷凍機１１、第１冷却塔１４、第１冷却水ポンプ用インバータモータ１７ａ、第１冷却水ポンプ１７、第１冷水ポンプ用インバータモータ２１ａ及び第１冷水ポンプ２１を起動させる（Ｓ３）。
【００４１】
冷凍システム１の立ち上げ直後は、外部負荷３による要求熱量Ｑｒｅｑは少ない。そのため、制御部４７は、サプライヘッダ３１の往圧力とリターンヘッダ３２の還圧力の差（以下「圧力差△Ｐ」という。）が一定になるようにバイパス回路３３の開閉バルブ３４を開く制御をする（Ｓ４）。
そして、外部負荷３の運転が開始される時刻になると（Ｓ５）、外部負荷３による熱の取出しが増え、外部負荷３の要求熱量Ｑｒｅｑが増え始める。制御部４７は、圧力差△Ｐが一定になるようにバイパス回路３３の開閉バルブ３４を閉じる制御を行う（Ｓ６）。
このとき、各冷水ポンプ２１，２２，２３による冷水供給量は、冷凍システム１の設計仕様において決定された定格冷水流量となっている。したがって、各インバータモータ２１ａ，２２ａ，２３ａは、定格冷水流量に見合った一定の回転数（以下「定格回転数」という。）で回転している。
このような定格運転のときは、バイパス回路３３の開閉バルブ３４の開度によって冷水流量が制御される。
【００４２】
冷水の往還温度差（Ｔｉ−Ｔｏ）が、設計仕様値である定格往還温度差よりも小さい場合には、冷水流量が定格流量とされたままでは、開閉バルブ３４による冷水流量制御では圧力差△Ｐを一定に保つことが困難になる（Ｓ７）。つまり、開閉バルブ３４を全閉にしても、圧力差△Ｐを一定に保つことができなくなる。本実施形態では、ΔPを保つためにターボ冷凍機、冷水ポンプ、冷却水ポンプ、冷却塔の増段を測らずに、制御部４７は、第１冷水ポンプ用インバータモータ２１ａの周波数を制御して過流量制御（Ｓ８）に入る。
【００４３】
過流量制御では、まず制御部４７が、冷水の往還温度差（Ｔｉ−Ｔｏ）から、複数段用意された冷水の流量上限のうちの適切な上限流量を決定する。そして、決定された上限冷水流量を下回るように、かつ、定格流量を上回るように第１冷水ポンプ用インバータモータ２１ａの駆動周波数を制御する。
このように冷水の過流量制御を行い、往還温度差（Ｔｉ−Ｔｏ）が定格値よりも小さい場合であっても、ターボ冷凍機の増段のタイミングを遅らせ、外部負荷の要求熱量Ｑｒｅｑの増大に応じた適切な冷凍機の運転台数を選択する。
【００４４】
次に、図６を用いて、冷水の往還温度差（Ｔｉ−Ｔｏ）が定格値と同等であり、外部負荷３の要求熱量Ｑｒｅｑが増大した場合の制御について説明する。
この場合、図５で説明した冷水の過流量制御（Ｓ８）を行っていても、従来では、第１ターボ冷凍機１１の冷凍能力を定格負荷まで増大させてしまえば、これ以上負荷を上げることができず、増大した外部負荷３の要求熱量に対応できなくなる。
しかし、冷却塔１４における冷却水入口温度Ｔｉｎが定格冷却水入口温度Ｔｉｎ＊よりも低い場合、ターボ圧縮機を備えたターボ冷凍機としては、同一回転数のまま、さらに多くの冷凍能力を出力することが可能となっている。
そこで、本実施形態による制御部４７は、冷凍機の定格負荷を超えた場合（Ｓ９）であっても、冷却水入口温度Ｔｉｎが定格冷却水入口温度Ｔｉｎ＊よりも低い場合（Ｓ１０）には、冷却水入口温度Ｔｉｎと定格冷却水入口温度Ｔｉｎ＊とを比較して、ターボ冷凍機がさらに出力可能な増大冷凍能力Ｑ（Ｔｉｎ）を演算する（Ｓ１１）。すなわち、図３を用いて説明したように、冷却水入口温度Ｔｉｎが定格冷却水入口温度Ｔｉｎ＊よりも低いほど、冷凍能力を増大させる制御を行う。
そして、制御部４７は、冷却水入口温度Ｔｉｎに基づく増大冷凍能力Ｑ（Ｔｉｎ）に対応する冷水の過流量を演算し、これを冷水流量の上限値に再設定する（Ｓ１２）。
このように再設定された上限冷水流量に達するまで、冷水流量を過流量制御して、外部負荷３の要求熱量に対応する。
【００４５】
冷凍機の増段は、冷却水入口温度Ｔｉｎに基づいて決定された増大冷凍能力Ｑ（Ｔｉｎ）に対して、次式に基づいて行われる（Ｓ１３）。
０．８Ｑ（Ｔｉｎ）＜ΣＱｒｉ    ・・・・（２）
ここで、Ｑｒｉ（ｉ＝１〜３）は、各ターボ冷凍機１１，１２，１３の運転時における冷凍能力を意味する。また、０．８という係数は、個々の冷凍システムに適したしきい値であり、システムにより異なる。
このように、各ターボ冷凍機１１，１２，１３の運転時における冷凍能力の和が冷却水入口温度（Ｔｉｎ）に基づいて決定される増大冷凍能力Ｑ（Ｔｉｎ）の８０％を超える場合に冷凍機を増段する（Ｓ１５）。
【００４６】
一方、次式を満たす場合にも冷凍機の増段を行う。
Ｔｓｕ＜Ｔｏ＋ｄＴｏ    ・・・・（３）
ここで、Ｔｓｕは、冷水の供給上限温度、ｄＴｏは、冷水温度の安全定数である。
上式が成立するのは、冷凍機が故障して仕様温度の冷水が供給できなくなったときであり、これにより、冷凍機の故障の有無が判定される（Ｓ１４）。
【００４７】
なお、冷却水入口温度Ｔｉｎが定格冷却水入口温度Ｔｉｎ＊よりも高い場合には、ターボ冷凍機は定格冷凍能力を下回る冷凍能力しか出力できないので、この冷凍能力に応じた冷水流量となるように冷水ポンプ用インバータモータ２１ａを制御する。
【００４８】
さらに、次のような制御を行っても良い。
制御部４７に対して、ターボ圧縮機６０に設けたＩＧＶの開度（運転状態データ）と、駆動モータ６８の出力（運転状態データ）とを送信する。
制御部４７は、これらの信号を受け取り、ターボ冷凍機１１がさらに冷凍能力を出力することができるかを判断する。例えば、ＩＧＶの開度が４０％、駆動モータ６８の出力が７０％という信号を受け取ると、制御部４７は２０％程度の能力増大が可能と判断する。そして、この２０％の冷凍能力に見合った冷水流量の増大を指示する。
【００４９】
以上の通り、本実施形態によれば、以下の効果を奏する。
定格冷凍能力を超えた冷凍能力に応じた熱量分だけ冷水流量を増大させて、より多くの外部負荷３の要求熱量に対応することとしたので、冷凍機の増段のタイミングを遅らせることができ、この遅らせることができる領域において、余分な冷水ポンプ、冷却水ポンプ、冷却塔動力の発生がないため省エネルギー運転が実現される。特に、冷水の往還温度差が定格値の場合でも、冷却水温度が低い場合には、さらに冷凍機の増段タイミングの調整代が増えることになり、有効である。
【００５０】
一方、冷却水温度が高く高ヘッドの場合には、定格冷凍能力を下回る熱量分だけ冷水流量を減少させることにより、冷水ポンプ補機動力の低減と、冷水出口温度制御の安定性が確保できる。
【００５１】
また、ターボ冷凍機からの信号によって、冷凍能力の増大が可能か否かを判断し過流量制御を行うこととしたので、冷凍機の能力を最大限発揮させて冷凍機の増段のタイミングを適切に設定することができる。
【００５２】
［第二実施形態］
次に、本発明の第二実施形態について、図７を用いて説明する。
本実施形態は、第一実施形態において圧縮機がターボ冷凍機であったものが、レシプロ、スクリュー、スクロール、ロータリー等の容積式圧縮機１００とされている点で異なる。その他の構成については、第一実施形態と同様である。したがって、冷凍システムの全体構成は図１と同様である。
ただし、容積式圧縮機１００を駆動する駆動機としては、第一実施形態のようにインバータ駆動モータとしても良いし、ガスエンジンとしてもよい。
【００５３】
図８には、第一実施形態と同様に過流量制御を行った（図５参照）後の運転方法が示されている。
容積式圧縮機では、図３を用いて説明したような遠心式空力機械特有の特性はない。
しかし、冷却水入口温度が定格冷却水入口温度よりも低い場合には、低ヘッドとなるので、容積式圧縮機１００の駆動機６８の負荷が低下して駆動機６８に余力が生じる。制御装置４７は、この駆動機の余力分を演算する（Ｓ１７）。
この余力分を補うように、制御部４７は、駆動機６８の回転数を増大させて、冷媒循環流量を増大させる。この増大した冷媒循環流量に対応する増大冷凍能力Ｑ（Ｔｉｎ）に相当する分だけ冷水流量を増大させて、過流量制御する（Ｓ１８）。これにより、より多くの外部負荷３の要求熱量に対応することができる。
【００５４】
なお、駆動機の動力は、ヘッドと冷媒循環流量との積で決まる。本実施形態では、冷却水入口温度が低下してヘッドが減少した分だけ回転数を増大させて冷媒循環流量を増大させるだけなので、結果として駆動機の出力最大値が増大することはない。
【００５５】
本実施形態における冷凍機の増段のタイミングについては、図５及び図６を用いて説明した第一実施形態と同様に、冷却水入口温度に応じて増大冷凍能力Ｑ（Ｔｉｎ）を制御部４７によって演算し、この増大冷凍能力Ｑ（Ｔｉｎ）に応じて増段のタイミングを決定する。
【００５６】
［第三実施形態］
次に、本発明の第三実施形態について、図９及び図１０を用いて説明する。
本実施形態は、第一実施形態において冷凍機がターボ冷凍機であったものが、吸収冷凍機２００とされている点で異なる。その他の構成については、第一実施形態と同様である。したがって、冷凍システムの全体構成は、ターボ冷凍機と吸収冷凍機との違いを除けば、図１と同様である。
【００５７】
吸収冷凍機２００には、冷媒とされる水に対してＬｉＢｒやアンモニア等を溶解させた吸湿性のある水溶液が用いられる。
吸収冷凍機２００は、この水溶液の水分を蒸発させて濃度の濃い水溶液を生成する高圧再生器２０１および低圧再生器２０２と、これら再生器２０１，２０２で生成された濃溶液が供給され、蒸発器２０４からの水分を吸収して希溶液を生成する吸収器２０３とを備えている。
また、吸収冷凍機２００は、高圧再生器２０１及び低圧再生器２０２から導かれる蒸気（冷媒）が供給され、この蒸気を凝縮させる凝縮器２０５と、凝縮器２０５から供給された凝縮水を蒸発させる蒸発器２０４とを備えている。
【００５８】
高圧再生器２０１には、高圧蒸気源やボイラ等の熱源から、調整弁２０６を介して蒸気が供給される。この蒸気によって水溶液が加熱され、水溶液中の水分を蒸発させることによって濃溶液が生成される。
調整弁２０６は、制御部４７によってその開度が調整されるようになっている。
高圧再生器２０１から流出する蒸気（冷媒）は、低圧再生器２０２へと供給された後、凝縮器２０５へと供給される。低圧再生器２０２で生成された蒸気も、凝縮器２０５へと供給される。
【００５９】
高圧再生器２０１及び低圧再生器２０２と、吸収器２０３との間には、高温熱交換器２０７及び低温熱交換器２０８が設けられている。これらの熱交換器２０７，２０８によって、吸収器２０３から溶液ポンプ２０９を介して供給される希溶液と、高圧再生器２０１及び低圧再生器２０２から供給される濃溶液との間で熱交換が行われる。
高温熱交換器２０７から流出した濃溶液は、その大部分が低圧再生器２０２へと供給される。一方、それ以外の濃溶液は、低圧再生器２０２をバイパスする濃溶液バイパス経路２１０を通って、低温熱交換器２０８とへ供給される。濃溶液バイパス経路２１０には、濃溶液の流量を調整する濃溶液バイパス流量調整弁２１１が設けられている。濃溶液バイパス流量調整弁２１１は、図示しないが、制御部４７によって弁開度が調整されるようになっている。
【００６０】
蒸発器２０４内には、冷水配管７０が挿通されており、外部負荷３に対して冷水が供給されるようになっている。この冷水配管７０内を流れる冷水は、蒸発器２０５中の冷媒に熱を奪われることにより冷やされる。冷水流量は、上述の第１冷水ポンプ２１（図１参照）によって制御される。第１冷水ポンプ２１は、制御部４７によってインバータ制御される。
【００６１】
吸収器２０３及び凝縮器２０５には、冷却水配管２１３が設けられており、この冷却水配管２１３を通過する冷却水によって内部の希溶液ないし蒸気が冷却される。冷却水配管２１３には、図示しないが、冷却水ポンプおよび冷却塔が接続されている。
冷却水配管２１３の凝縮器２０５入口には、冷却水入口温度センサ７４が設けられており、冷却水入口温度Ｔｉｎが測定されるようになっている。冷却水入口温度センサ７４の出力は、制御部４７へと出力される。
【００６２】
次に、上記構成の吸収冷凍機２００について、冷却水温度が低下した場合の動作について説明する。
外気温が低下して冷却水温度が低下すると、対数平均温度差が大きくなり、吸収器２０３における冷媒蒸気の吸収量が増加する。これにより吸収能力が増加するので、希溶液の濃度が低下し、これにより冷凍能力が増加する。
また、冷却水温度が低下すると、対数平均温度差が大きくなり、凝縮器２０５における冷媒凝縮量が増加するとともに、凝縮圧力が低下する。凝縮圧力が低下すると、凝縮器２０５に接続された低圧再生器２０２及び高圧再生器２０１の圧力・温度が低下する。高圧再生器２０１の圧力が低下すると、熱源蒸気の負荷が減り、運転状態に余裕ができることになる。
また、高圧再生器２０１の圧力が低下すると、高圧再生器２０１と低圧再生器２０２との圧力差も低下する。吸収冷凍機２００内を循環する溶液循環量は、高圧再生器２０１と低圧再生器２０２との圧力差によって定まる。したがって、冷却水温度が低下すると、再生器２０１，２０２間の圧力差が小さくなり、溶液循環量が低下することになる。溶液循環量が低下すると、溶液加熱に費やされる熱量も低下し、冷凍能力に関与しない溶液加熱に熱量が無駄に消費されることがなく、投入熱量の大部分を冷媒の蒸発に用いることができる。
【００６３】
このように、吸収冷凍機においても、冷却水温度が低下すると、熱源蒸気の負荷が減るとともに、溶液循環量が減り、熱源蒸気に余裕が生じることになる。制御部４７で調整弁２０６の開度を上げることによって、この余裕分の熱源蒸気をさらに用いることにより、冷凍システムが有する熱源を最大限有効に利用して、定格冷凍能力を超えた冷凍能力まで出力させることができる。
ゆえに、吸収冷凍機の増段を可及的に遅らせることができ、冷凍システムの消費エネルギーを抑えることができる。特に、吸収冷凍機は、ターボ冷凍機に比べてＣＯＰ（成績係数）が小さいゆえに排熱が大きいので、比較的容量の大きな冷却水ポンプや冷却塔が設置される。本実施形態によれば、比較的容量の大きな冷却水ポンプや冷却塔の増段による起動を遅らせることができるので、そのメリットは大きい。
【００６４】
冷却水温度が低下すると、以下に説明するように、濃溶液が結晶してしまう溶液結晶の問題が発生する。
つまり、低温熱交換器２０８の濃溶液出口では、濃溶液の濃度が高くかつ温度が低い状態となっているので、溶液結晶が発生するおそれが高い。特に、冷却水の温度が低下した場合には、高圧再生器２０１と低圧再生器２０２との圧力差が小さくなることにより、溶液循環量が低下し、さらに溶液結晶が生じやすい状態となる。
そこで、本実施形態では、低圧再生器２０２をバイパスする濃溶液バイパス経路２１０に濃溶液バイパス流量調整弁２１１が設けられている。溶液結晶が生じるおそれのある状況では、濃溶液バイパス流量調整弁２１１の開度を上げて高圧再生器２０１からの濃溶液を多くパイパスさせることとする。これにより、低温熱交換器２０８に流れる濃溶液の流量を増大させ、しかも、低圧再生器２０２からの濃溶液に比べて溶液濃度が低い高圧再生器２０１からの濃溶液を低温熱交換器２０８に多く流すことで溶液結晶を防ぐ。さらに、濃溶液バイパス流量調整弁２１１を開くことで吸収冷凍機全体の溶液流量が増加するため、濃溶液濃度が低下し溶液結晶を防止する。
【００６５】
このように、濃溶液バイパス流量調整弁２１１による制御を行うと、図１０に示すように、冷凍能力の増大をさらに図ることができる。図１０は、冷却水温度（横軸）に対して、冷凍能力を示したものである。１００％が定格冷凍能力を示す。
本実施形態の吸収冷凍機は、同図に示すように、冷却水温度が３２℃のときに定格冷凍能力を出力するようになっており、冷却水温度が低下するにしたがって、定格冷凍能力を超えた冷凍能力を出力するようになっている。
上述のように、冷却水温度の低下により冷凍能力が増加する場合であっても、濃溶液バイパス流量調整弁２１１による制御を行わないと、溶液結晶が発生することにより、冷凍能力が１０５％程度で頭打ちになってしまう。一方、濃溶液バイパス流量調整弁２１１による制御を行えば、溶液結晶が発生することがないので、低い冷却水温度に応じた冷凍能力を出力することが可能となる。
【００６６】
本実施形態における冷凍機の増段のタイミングについては、図５及び図６を用いて説明した第一実施形態と同様に、冷却水入口温度に応じて増大冷凍能力Ｑ（Ｔｉｎ）を制御部４７によって演算し、この増大冷凍能力Ｑ（Ｔｉｎ）に応じて増段のタイミングを決定する。
【００６７】
なお、溶液濃度が低い希溶液を高圧再生器２０１と低圧再生器２０２のそれぞれに流入させ濃溶液を生成する吸収冷凍機、および／または、低圧再生器２０２で濃溶液を生成しさらに高圧再生器２０１で溶液濃度を高める吸収冷凍機として、高圧再生器２０１出口の濃溶液系統の熱交換器２０７や立上り配管等の抵抗部をバイパスする経路を設け、このバイパス経路に、濃溶液の流量を調整する濃溶液バイパス流量調整弁２１１を設けてもよい。
【００６８】
上記第一乃至第三実施形態において、増大冷凍能力Ｑ（Ｔｉｎ）を算出する基準として冷却水入口温度Ｔｉｎを用いたが、本発明はこれに限定されず、凝縮器の排熱温度を代表するデータであれば良く、外気温度、冷却水出口温度、冷媒凝縮温度、冷媒凝縮圧力を用いても良い。
また、第一実施形態ではターボ冷凍機を用いた冷凍システム、第二実施形態では容積式圧縮機を有する冷凍機を用いた冷凍システム、第三実施形態では吸収冷凍機を用いた冷凍システムについてそれぞれ説明したが、ターボ冷凍機、容積式圧縮機を有する冷凍機、および吸収冷凍機を適宜組み合わせた冷凍システムとしてもよい。
また、冷凍機の段数については、３段に限定されるものではなく、２段あるいは４段以上であっても良い。もちろん、本発明による冷凍システムを１段だけ有し、それ以外の冷凍機については従来のものを用いる形式であっても良い。
【図面の簡単な説明】
【００６９】
【図１】本発明の第一実施形態にかかる冷凍システムの全体構成を示したブロック図である。
【図２】図１の冷凍機の詳細を冷却塔とともに示した概略図である。
【図３】ターボ冷凍機の特性を示した図である。
【図４】ターボ圧縮機の駆動機の選定の条件を示した図である。
【図５】本発明の冷凍システムの運転方法を示したフローチャートである。
【図６】本発明の冷凍システムの運転方法を示したフローチャートである。
【図７】本発明の第二実施形態にかかる冷凍機を示したブロック図である。
【図８】第二実施形態にかかる冷凍システムの運転方法を示したフローチャートである。
【図９】本発明の第三実施形態にかかる吸収冷凍機を示したブロック図である。
【図１０】第三実施形態にかかる吸収冷凍機の冷凍能力を冷却水温度に対して示したグラフである。
【符号の説明】
【００７０】
１  冷凍システム
３  外部負荷
１１，１２，１３  ターボ冷凍機
１４，１５，１６  冷却塔
２１，２２，２３  冷水ポンプ
４７  制御部
【図１】
2005233557.tif 000003
【図２】
2005233557.tif 000004
【図３】
2005233557.tif 000005
【図４】
2005233557.tif 000006
【図５】
2005233557.tif 000007
【図６】
2005233557.tif 000008
【図７】
2005233557.tif 000009
【図８】
2005233557.tif 000010
【図９】
2005233557.tif 000011
【図１０】
2005233557.tif 000012